(57)【要約】【課題】冷蔵庫の後方の外観を良好にすると共に、冷蔵庫本体の後面からの出っ張りを極力小さくする。【解決手段】本実施形態の冷蔵庫は、外箱１１と内箱１２の間に断熱材１３を配置して構成された冷蔵庫本体１４を備えたものであって、冷蔵庫本体１４の後壁部２４に冷蔵庫の前方に向けて突出するように設けられた凸形状部２５と、凸形状部２５の背面側に設けられた凹状の基板収納部２６と、基板収納部２６内に収容された電子基板とを備えたものである。【選択図】図３
2020008190.tif 000002
【特許請求の範囲】
【請求項１】
外箱と内箱の間に断熱材を配置して構成された冷蔵庫本体を備えた冷蔵庫であって、
前記冷蔵庫本体の後壁部に冷蔵庫の前方に向けて突出するように設けられた凸形状部と、
前記凸形状部の背面側に設けられた凹状の基板収納部と、
前記基板収納部内に収容された電子基板と
を備えた冷蔵庫。
【請求項２】
前記冷蔵庫本体の後壁部における前記基板収納部が設けられている部分の厚み寸法は、前記後壁部の他の部分の厚み寸法よりも小さくなるように構成された請求項１記載の冷蔵庫。
【請求項３】
前記基板収納部における前後方向に最も凹となる面上に、最も背が高い電子部品を配置するように構成された請求項１または２記載の冷蔵庫。
【請求項４】
庫内における前記冷蔵庫本体の後壁部の冷蔵庫の前側に設けられ、冷気を流すダクトを備え、
前記ダクトの冷気吹き出し口を、前記後壁部の凸形状部よりも上側に配設するように構成された請求項１から３のいずれか一項記載の冷蔵庫。
【請求項５】
前記冷蔵庫本体の後壁部の後面を構成する後板と、
前記基板収納部を閉塞するように設けられ、上端部及び下端部が前記後板に取り付けられたカバーとを備え、
前記カバーの上端部を取り付けた部分の位置を、前記後板のうちの前記基板収納部の上方の部分の位置よりも前側となるように構成された請求項１から４のいずれか一項記載の冷蔵庫。
【請求項６】
前記凸形状部の左右方向の幅寸法は、庫内における前記冷蔵庫本体の後壁部の前面側に設けられた操作パネルの左右方向の幅寸法と同一になるように構成された請求項１から５のいずれか一項記載の冷蔵庫。
【請求項７】
前記基板収納部の左右の側壁部は、後部から前部へ向けて斜めに傾く傾斜面を有するように構成され、
除霜水を排水する排水ホースを、前記冷蔵庫本体の後壁部の内部における前記傾斜面に前後に重なるように配設した請求項１から６のいずれか一項記載の冷蔵庫。
【請求項８】
冷媒を流すパイプを、前記冷蔵庫本体の後壁部の内部における前記基板収納部に前後に重なっていない位置に配設した請求項１から７のいずれか一項記載の冷蔵庫。
【発明の詳細な説明】
【技術分野】
【０００１】
本発明の実施形態は、冷蔵庫に関する。
【背景技術】
【０００２】
冷蔵庫の制御装置を構成するプリント基板は、冷蔵庫本体の後壁部の後面に設けられた基板装着部に取り付けられ、プリント基板及び基板装着部は、カバーによって覆われている。この構成の場合、カバーが後方へ突出する構成であるため、冷蔵庫の後方の外観が悪くなると共に、冷蔵庫を設置する場合に、冷蔵庫本体の後部を室内の壁に近付ける際に、凸状のカバーが後方へ突出していることから、冷蔵庫本体を壁にあまり近付けることができないという不具合があった。
【０００３】
尚、冷蔵庫本体の後面からの出っ張りを小さくした冷蔵庫として、冷蔵庫本体の後壁部の厚さを薄くして凹部を設け、その凹部内にプリント基板を収容するものが知られている（例えば特許文献１）。
【先行技術文献】
【特許文献】
【０００４】
【特許文献１】特開平８−３０３９４６号公報
【発明の概要】
【発明が解決しようとする課題】
【０００５】
しかし、凹部を設けるために冷蔵庫本体の後壁部の厚さを薄くする構成は、断熱性能が低下するという問題がある。
そこで、本実施形態は、冷蔵庫の後方の外観を良好にすると共に、冷蔵庫本体の後面からの出っ張りを極力小さくすることができる冷蔵庫を提供する。
【課題を解決するための手段】
【０００６】
本実施形態の冷蔵庫は、外箱と内箱の間に断熱材を配置して構成された冷蔵庫本体を備えたものであって、前記冷蔵庫本体の後壁部に冷蔵庫の前方に向けて突出するように設けられた凸形状部と、前記凸形状部の背面側に設けられた凹状の基板収納部と、前記基板収納部内に収容された電子基板とを備えたものである。
【図面の簡単な説明】
【０００７】
【図１】第１実施形態による扉を開けた冷蔵庫の正面図
【図２】冷蔵庫の後方を示す斜視図
【図３】基板収納部周辺の部分縦断側面図
【図４】基板収納部周辺の部分横断面図
【図５】庫内の部分正面図
【図６】基板収納部周辺と基板固定部材を示す分解斜視図
【図７】冷蔵庫の後方を示す分解斜視図
【図８】基板収納部の要部の縦断側面図
【発明を実施するための形態】
【０００８】
（第１実施形態）
以下、第１実施形態による冷蔵庫を、図面を参照しながら説明する。図１は本実施形態の扉を開けた冷蔵庫１０の前面側を示す正面図であり、図２は冷蔵庫１０の背面側を示す斜視図である。この図１及び図２に示すように、冷蔵庫１０は、外郭を形成する外箱１１と貯蔵空間を形成する内箱１２との間に例えば発泡断熱材１３（図３参照）を配置、即ち、充填した断熱箱体からなる冷蔵庫本体１４を備える。冷蔵庫本体１４の内部に形成される貯蔵空間は、仕切壁１５によって上方の冷凍室１６と下方の冷蔵室１７とに区画されている。
【０００９】
冷凍室１６の前面開口部は、例えばヒンジ式の冷凍室扉１８によって開閉可能に構成されている。冷蔵室１７の前面開口部は、例えばヒンジ式の冷蔵室扉１９によって開閉可能に構成されている。冷凍室１６は、例えば−１８℃以下の冷凍温度に冷却される空間である。冷蔵室１７は、例えば、０〜３℃の冷蔵温度に冷却される空間である。
【００１０】
また、冷蔵庫本体１４の下部には、圧縮機２１等が配設された機械室２２が設けられている。上記圧縮機２１と、いずれも図示しない冷却器と、凝縮器と、キャピラリーチューブ等とから構成された冷凍サイクルが、冷蔵庫本体１４に組み込まれている。圧縮機２１から吐出される冷媒が凝縮器及びキャピラリーチューブを介して冷却器に導入されることにより、冷却器は冷却器室内の空気を冷却する。冷却器室内の冷気は、送風ファンによりダクトを介して冷凍室１６内及び冷蔵室１７内に吹き出されるように構成されている。
【００１１】
さて、冷蔵庫本体１４の後壁部２４は、図３に示すように、機械室２２の上部において冷蔵庫の前方に向けて突出するように形成されており、これにより、凸形状部２５が設けられる構成となっている。そして、凸形状部２５の背面側に設けられた凹部が、基板収納部２６となっている。また、図５に示すように、凸形状部２５の左右方向の幅寸法ｄ１は、庫内における冷蔵庫本体１４の後壁部２４の前面側に設けられた操作パネル２７の左右方向の幅寸法ｄ２と同一またはほぼ同じ程度になるように構成されている。操作パネル２７には、温度調節ダイヤル２８が設けられている。
【００１２】
また、図３に示すように、操作パネル２７の後方、即ち、冷蔵庫本体１４の後壁部２４の前面側には、冷気を流すダクト２９（冷気流路）が設けられている。このダクト２９の下端部の冷気吹き出し口３０は、後壁部２４の凸形状部２５の上側に配置される構成となっている。この構成の場合、凸形状部２５の上部は、上へ行くほど奥へ行くように傾斜する傾斜面２５ａとなっている。冷気吹き出し口３０は、傾斜面２５ａの上方に位置しており、冷気を傾斜面２５ａに向けて流すように構成されている。また、冷気吹き出し口３０よりも上方に操作パネル２７が配置されている。
【００１３】
さて、基板収納部２６内には、冷蔵庫１０の制御装置である電子基板例えばプリント基板３１が基板固定部材３２を介して収納されている。基板固定部材３２は、例えば樹脂で形成されており、図６にも示すように、基板収納部２６の凹状形状に合わせた形状となるようにやや深皿状に構成されている。基板固定部材３２は、上端部に形成された係合凸部３２ａを、後壁部２４の後板３４に形成された係合孔３４ａに係合させ、下端部を後板３４に例えばねじ止めすることにより、後板３４、即ち、後壁部２４に取り付けられている。尚、後板３４は、冷蔵庫本体１４の外箱１１の後板部を構成するものであり、例えば鉄板で形成されている。
【００１４】
また、基板固定部材３２における前後方向に最も凹となる面、即ち、内底面上には、プリント基板３１を例えばねじ止めすることにより取り付ける構成となっている。そして、基板固定部材３２の内底面の上部には、図３に示すように、冷蔵庫１０の制御装置を構成する電子部品の中で最も背が高い電子部品である例えばリアクトル３３が取り付けられている。この構成の場合、基板収納部２６における前後方向に最も凹となる面、即ち、内底面の上に基板固定部材３２が接するように配設されている。従って、基板固定部材３２の内底面に配置されたリアクトル３３、即ち、最も背が高い電子部品は、基板収納部２６における前後方向に最も凹となる面上に配置される構成となっている。
【００１５】
そして、図２、図３及び図７に示すように、基板固定部材３２にプリント基板３１及びリアクトル３３を取り付けた状態で、基板固定部材３２を基板収納部２６に取り付け、カバー３５により基板収納部２６を塞ぐ。カバー３５は、上端部に形成された係合凸部３５ａを、後板３４に形成された係合孔３４ｂに係合させ、下端部を後板３４に例えばねじ止めすることにより、後板３４、即ち、後壁部２４に取り付けられる構成となっている。尚、カバー３５は、例えば鉄板で形成されている。
【００１６】
図３及び図８に示すように、後板３４における基板収納部２６の上端部において、後板３４に取り付けられたカバー３５の上端部３５ｂの後方に突出する位置をＰ１とする。本実施形態の場合、上記位置Ｐ１を、後板３４のうちの基板収納部２６の上方の部分３４ｃの位置Ｐ２よりも前側となるように構成した。この構成によれば、図８にて矢印で示すように、冷蔵庫１０の上部から何らかの液体が後板３４に沿って落下してきたときに、カバー３５の上端部３５ｂの位置Ｐ１が、後板３４のうちの基板収納部２６の上方の部分３４ｃの位置Ｐ２よりも前側であるため、液体がカバー３５の上端部３５ｂ周辺に当たることを低減できる。このため、液体がカバー３５の内部、即ち、基板収納部２６内に浸入することを低減できる。
【００１７】
カバー３５は、上端から下端になるに連れて冷蔵庫後側に多段的に突出しており、突出した部分は位置Ｐ２よりも冷蔵庫後側になる構成となっている。さらに、カバー３５の下端部３５ｃの位置は、上端部３５ｂの位置Ｐ１よりも冷蔵庫前側に位置している。
【００１８】
また、後板３４は、図８に示す位置Ｐ２の部分３４ｃから冷蔵庫前側に傾斜面３４ｄがあり、その下方に垂直面３４ｅがあり、その下方に傾斜面２５ａ（図３参照）の背面側に位置して後側傾斜面３４ｆが設けられている。そして、基板固定部材３２は、後側傾斜面３４ｆに沿って垂直面３４ｅと前後に重なる位置まで伸びている。カバー３５は、基板固定部材３２を上方から塞いでいる
【００１９】
また、本実施形態においては、図４に示すように、基板収納部２６の左右の側壁部は、後部から前部へいくほど斜めに傾く傾斜面３６、３７を有するように構成されている。左側の傾斜面３６の傾斜方向は、左から右へ向けて後部から前部へ傾斜している。右側の傾斜面３７の傾斜方向は、右から左へ向けて後部から前部へ傾斜している。そして、除霜水を排水する排水ホース３８を、冷蔵庫本体１４の後壁部２４の内部における上記左側の傾斜面３６に前後に重なるように配設している。この構成の場合、図４の横断面図で見た場合に、上記排水ホース３８が上記左側の傾斜面３６に前後に重なっている。更に、冷媒を流すパイプ３９を、冷蔵庫本体１４の後壁部２４の内部における基板収納部２６に前後に重なっていない位置に配設した。本実施形態では、パイプ３９は、例えばサクションパイプ３９ａと例えばキャピラリチューブ３９ｂを接合したパイプで構成されている。
【００２０】
また、排水ホース３８及びパイプ３９は、冷蔵庫本体１４の後壁部２４における左右方向の中央部よりも端部側に配置されている。即ち、排水ホース３８とパイプ３９は、後壁部２４における左右方向の中央部を挟むように配置される構成となっている。
【００２１】
また、本実施形態では、図４に示すように、冷蔵庫本体１４の後壁部２４における基板収納部２６が設けられている部分、即ち、後壁部２４における左右方向の中央部の厚み寸法ｄ３とする。この厚み寸法ｄ３を、後壁部２４の他の部分、即ち、後壁部２４における左右方向の端部の厚み寸法ｄ４よりも小さくなるように構成した。この構成の場合、後壁部２４の厚み寸法ｄ３は、傾斜面３６によって厚み寸法ｄ４に幅広になるように構成されている。
【００２２】
また、図３に示すように、上記厚み寸法ｄ３を、後壁部２４の他の部分、即ち、後壁部２４における基板収納部２６の上方の部分の厚み寸法ｄ５よりも小さくなるように構成した。この構成の場合、厚み寸法ｄ５の部分の後壁部２４と、操作パネル２７及び操作パネル２７とダクト２９との間に設けられた中間絶縁部材４１は、前後方向に重なっている。即ち、図３の縦断面図で見た場合に、厚み寸法ｄ５の部分の後壁部２４と中間絶縁部材４１が前後方向に重なっている。
【００２３】
このような構成の本実施形態においては、冷蔵庫本体１４の後壁部２４に冷蔵庫の前方に向けて突出するように凸形状部２５を設け、凸形状部２５の背面側に凹状の基板収納部２６を設け、基板収納部２６内にプリント基板３１、即ち、電子基板を収容するように構成した。この構成によれば、凸形状部２５の背面側の基板収納部２６内にプリント基板３１を収容するので、プリント基板３１を収容した部分の後方への出っ張りを小さくすることが可能となる。また、凸形状部２５の背面側に基板収納部２６を設けたので、後壁部２４の厚み寸法ｄ３が薄くともプリント基板３１及びカバー３５によって断熱厚さを十分確保できる。従って、冷蔵庫１０の後方の外観を良好にすると共に、冷蔵庫本体１４の後面からの出っ張りを極力小さくすることができる。
【００２４】
また、本実施形態においては、凸形状部２５の左右方向の幅寸法ｄ１を、庫内における冷蔵庫本体１４の後壁部２４の前面側に設けられた操作パネル２７の左右方向の幅寸法ｄ２と同一になるように構成した。この構成によれば、庫内を正面から見たときに、凸形状部２５と操作パネル２７が統一感のあるデザインとなることから、見栄えが向上する。
【００２５】
本実施形態では、基板収納部２６の左右の側壁部が、後部から前部へ向けて斜めに傾く傾斜面３６、３７を有するように構成し、除霜水を排水する排水ホース３８を、冷蔵庫本体１４の後壁部２４の内部における前記傾斜面３６に前後に重なるように配設した。この構成によれば、排水ホース３８を配設する後壁部２４の断熱厚さを十分に確保することができる。尚、排水ホース３８は、冷却器室の下部に設けられた排水樋と機械室２２内に設けられた蒸発皿とを繋ぐパイプである。
【００２６】
本実施形態では、冷媒を流すパイプ３９を、冷蔵庫本体１４の後壁部２４の内部における基板収納部２６に前後に重なっていない位置に配設したので、パイプ３９を配設する後壁部２４の断熱厚さを十分に確保することができる。
【００２７】
本実施形態では、冷蔵庫本体１４の後壁部２４における基板収納部２６が設けられている部分の厚み寸法ｄ３を、後壁部２４の他の部分の厚み寸法ｄ４、ｄ５よりも小さくなるように構成した。この構成によれば、後壁部２４の断熱厚さを十分に確保することができる。
【００２８】
本実施形態では、基板収納部２６における前後方向に最も凹となる面上に、最も背が高い電子部品３３を配置するように構成したので、冷蔵庫本体１４の後面からの出っ張りを極力小さくすることができる。
【００２９】
本実施形態では、庫内における冷蔵庫本体１４の後壁部２４の冷蔵庫の前側に設けられた冷気を流すダクト２９の冷気吹き出し口３０を、後壁部２４の凸形状部２５よりも上側に配設するように構成した。この構成によれば、冷気吹き出し口３０から吹き出される冷気を、凸形状部２５の前面に沿って流すことができ、庫内の下方までスムーズに流すことができる。
【００３０】
本実施形態では、冷蔵庫本体１４の後壁部２４の後面を構成する後板３４と、基板収納部２６を閉塞するように設けられ上端部及び下端部が後板３４に取り付けられたカバー３５とを備え、カバー３５の上端部を取り付けた部分の位置Ｐ１を、後板３４のうちの基板収納部２６の上方の部分の位置Ｐ２よりも前側となるように構成した。この構成によれば、冷蔵庫１０の上部から何らかの液体が後板３４に沿って落下してきたときに、液体がカバー３５の上端部３５ｂ周辺に当たることを低減でき、液体がカバー３５の内部、即ち、基板収納部２６内に入ることを低減できる。
（その他の実施形態）
以上説明した複数の実施形態に加えて以下のような構成を加えても良い。
【００３１】
本実施形態では、冷凍室１６及び冷蔵室１７を備えた冷蔵庫１０に適用したが、これに限られるものではなく、３個以上の貯蔵室を備えた冷蔵庫に適用しても良い。また、本実施形態では、背が高い電子部品としてリアクトル３３を基板収納部２６内に配設する冷蔵庫１０に適用したが、これに限られるものではなく、リアクトル３３が不要な冷蔵庫に適用しても良い。このような構成の場合、冷蔵庫本体１４の後壁部２４の後板３４からの後方への突出を極力防止することができる。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
図面中、１０は冷蔵庫、１１は外箱、１２は内箱、１３は発泡断熱材、１４は冷蔵庫本体、１５は仕切壁、１６は冷凍室、１７は冷蔵室、２１は圧縮機、２２は機械室、２４は後壁部、２５は凸形状部、２６は基板収納部、２７は操作パネル、２８は温度調節ダイヤル、２９はダクト、３０は冷気吹き出し口、３１はプリント基板、３２は基板固定部材、３３はリアクトル、３４は後板、３５はカバー、３６、３７は傾斜面、３８は排水ホース、３９はパイプである。
【図１】
2020008190.tif 000003
【図２】
2020008190.tif 000004
【図３】
2020008190.tif 000005
【図４】
2020008190.tif 000006
【図５】
2020008190.tif 000007
【図６】
2020008190.tif 000008
【図７】
2020008190.tif 000009
【図８】
2020008190.tif 000010